(57)【要約】【課題】意外性のある、より好適な画像を撮影できるようにする。【解決手段】撮影の開始を指示するとき操作される撮影開始ボタンが撮影用モニタ１６に表示され、操作パネル１７に対するユーザからの操作により、表示されている撮影開始ボタンが操作されたとき、ＣＣＤ２１により撮影が行われる。撮影結果の画像が撮影用モニタ１６に表示され、ユーザに提示される。その後、撮影結果の画像が撮影用モニタ１６に表示されてから、例えば、４，５秒などの所定の時間が経過したとき、ユーザからの指示によらずに、自動的にＣＣＤ２１により撮影が再度行われ、撮影された画像が保存される。本発明は、写真シール自動販売機に適用することができる。【選択図】　　　図１
2004062273.tif 000002
【特許請求の範囲】
【請求項１】
ユーザから撮影することが指示されることに基づいて撮影を行う第１の撮影手段と、
前記第１の撮影手段により撮影が行われるタイミングと異なる所定のタイミングにおいて、前記ユーザからの指示によらずに撮影を行う第２の撮影手段と
を備えることを特徴とする写真シール自動販売機。
【請求項２】
撮影結果の画像を表示する第１の表示手段をさらに備え、
前記第２の撮影手段は、前記第１の表示手段により前記第１の撮影手段による撮影結果の画像が表示されているときに撮影を行う
ことを特徴とする請求項１に記載の写真シール自動販売機。
【請求項３】
撮影結果の画像から選択された編集対象画像を編集する編集手段をさらに備え、
前記第２の撮影手段は、前記編集対象画像の選択が行われているときに撮影を行う
ことを特徴とする請求項１または２に記載の写真シール自動販売機。
【請求項４】
前記第２の撮影手段は、前記ユーザにより前記編集対象画像の編集が行われているとき撮影を行う
ことを特徴とする請求項３に記載の写真シール自動販売機。
【請求項５】
前記ユーザの音声を検出する音声検出手段をさらに備え、
前記第２の撮影手段は、前記音声検出手段により所定の閾値以上の音量の音声が検出されたことに基づいて、または、所定の内容の音声が検出されたことに基づいて撮影を行う
ことを特徴とする請求項１乃至４のいずれかに記載の写真シール自動販売機。
【請求項６】
取り込まれている画像に基づいて、前記ユーザの動作を検出する動作検出手段をさらに備え、
前記第２の撮影手段は、前記動作検出手段により所定の動作が検出されたことに基づいて撮影を行う
ことを特徴とする請求項１乃至５のいずれかに記載の写真シール自動販売機。
【請求項７】
前記第２の撮影手段により撮影が行われるとき、撮影が行われることを表す所定の画像を表示する第２の表示手段をさらに備える
ことを特徴とする請求項１乃至６のいずれかに記載の写真シール自動販売機。
【請求項８】
ユーザから撮影することが指示されることに基づいて撮影を行う第１の撮影ステップと、
前記第１の撮影ステップの処理により撮影が行われるタイミングと異なる所定のタイミングにおいて、前記ユーザからの指示によらずに撮影を行う第２の撮影ステップと
を含むことを特徴とする写真シール自動販売機における写真撮影方法。
【請求項９】
ユーザから撮影することが指示されることに基づいて撮影を行う第１の撮影ステップと、
前記第１の撮影ステップの処理により撮影が行われるタイミングと異なる所定のタイミングにおいて、前記ユーザからの指示によらずに撮影を行う第２の撮影ステップと
を含む写真シール自動販売機における写真撮影方法により印刷されることを特徴とする印刷媒体。
【請求項１０】
ユーザから撮影することが指示されることに基づいて撮影を行う第１の撮影手段と、
前記第１の撮影手段により撮影が行われるタイミングと異なる所定のタイミングにおいて、前記ユーザからの指示によらずに撮影を行う第２の撮影手段と
を備える写真シール自動販売機において使用される印刷媒体ユニットであって、
前記印刷媒体ユニットを識別する識別情報を記憶する識別情報記憶手段を備え、
前記識別情報記憶手段により記憶されている前記識別情報が前記写真シール自動販売機により認証されたとき使用可能とされる
ことを特徴とする印刷媒体ユニット。
【発明の詳細な説明】
【０００１】
【発明の属する技術分野】
本発明は、写真シール自動販売機および方法、印刷媒体、並びに印刷媒体ユニットに関し、特に、意外性のある、より好適な画像を撮影できるようにする写真シール自動販売機および方法、印刷媒体、並びに印刷媒体ユニットに関する。
【０００２】
【従来の技術】
従来、ユーザの画像を撮影し、これを予め用意されたフレーム画像と合成してシール紙などに印刷して提供する、いわゆる「プリント倶楽部（登録商標）」などの写真シール自動販売機が知られている。
【０００３】
このような写真シール自動販売機を利用して撮影するとき、一般的に、ユーザは、カメラにより取り込まれている自分自身の動画像（リアルビュー）を、ほぼ正面に設けられている画面において確認しながら、好ましいポーズや表情、或いは立ち位置などを調整する。
【０００４】
そして、その調整が終わったとき、ユーザは、装置に対して撮影の開始を指示し、指示することに応じて出力されるカウントダウンに従って撮影を行う。このように、ポーズや表情を調整してから撮影することができるため、ユーザは、より見栄えのよい画像を撮影することができる。
【０００５】
【発明が解決しようとする課題】
しかしながら、以上のように、ユーザにより指示されることに応じて撮影が行われる場合、撮影のタイミングに併せてユーザが身構えてしまうため、撮影されたユーザの表情やポーズが、通常には見られない不自然なものになってしまうことがあるという課題があった。
【０００６】
本発明はこのような状況に鑑みてなされたものであり、意外性のある画像を撮影できるようにするとともに、撮影のエンターテインメント性を向上させることができるようにするものである。
【０００７】
【課題を解決するための手段】
本発明の写真シール自動販売機は、ユーザから撮影することが指示されることに基づいて撮影を行う第１の撮影手段と、第１の撮影手段により撮影が行われるタイミングと異なる所定のタイミングにおいて、ユーザからの指示によらずに撮影を行う第２の撮影手段とを備えることを特徴とする。
【０００８】
例えば、第１の撮影手段と第２の撮影手段が同一の撮影装置により構成されるようにしてもよいし、或いは、それぞれ異なる位置に設けられている撮影装置により構成されるようにしてもよい。
【０００９】
本発明の写真シール自動販売機は、撮影結果の画像を表示する第１の表示手段をさらに備えるようにすることができる。このとき、第２の撮影手段は、第１の表示手段により第１の撮影手段による撮影結果の画像が表示されているときに撮影を行う。
【００１０】
撮影結果の画像から選択された編集対象画像を編集する編集手段をさらに備え、第２の撮影手段は、編集対象画像の選択が行われているときに撮影を行うようにすることができる。
【００１１】
第２の撮影手段は、ユーザにより編集対象画像の編集が行われているとき撮影を行うようにすることができる。
【００１２】
ユーザの音声を検出する音声検出手段をさらに備え、第２の撮影手段は、音声検出手段により所定の閾値以上の音量の音声が検出されたことに基づいて、または、所定の内容の音声が検出されたことに基づいて撮影を行うようにすることができる。
【００１３】
取り込まれている画像に基づいて、ユーザの動作を検出する動作検出手段をさらに備え、第２の撮影手段は、動作検出手段により所定の動作が検出されたことに基づいて撮影を行うようにすることができる。
【００１４】
動作検出手段により検出される動作とは、ユーザの様々な動作をいい、例えば、ユーザが画面を指さしている動作などとすることができる。
【００１５】
第２の撮影手段により撮影が行われるとき、撮影が行われることを表す所定の画像を表示する第２の表示手段をさらに備えるようにすることができる。
【００１６】
表示される所定の画像として、例えば、テキスト情報のみが表示されるようにしてもよいし、キャラクタの静止画像や、アニメーション画像（動画像）が表示されるようにしてもよい。
【００１７】
本発明の写真シール自動販売機における写真撮影方法は、ユーザから撮影することが指示されることに基づいて撮影を行う第１の撮影ステップと、第１の撮影ステップの処理により撮影が行われるタイミングと異なる所定のタイミングにおいて、ユーザからの指示によらずに撮影を行う第２の撮影ステップとを含むことを特徴とする。
【００１８】
本発明の写真シール自動販売機および方法においては、ユーザから撮影することが指示されることに基づいて撮影が行われ、撮影が行われるタイミングと異なる所定のタイミングにおいて、ユーザからの指示によらずに撮影が行われる。
【００１９】
従って、本発明によれば、意外性のある、より自然な表情や姿をしているユーザを撮影することができる。また、ユーザからの操作によらずに突然撮影が行われるため、より面白みのある撮影を提供することができる。
【００２０】
本発明の印刷媒体は、ユーザから撮影することが指示されることに基づいて撮影を行う第１の撮影ステップと、第１の撮影ステップの処理により撮影が行われるタイミングと異なる所定のタイミングにおいて、ユーザからの指示によらずに撮影を行う第２の撮影ステップとを含む写真シール自動販売機における写真撮影方法により印刷されることを特徴とする。
【００２１】
本発明の印刷媒体ユニットは、ユーザから撮影することが指示されることに基づいて撮影を行う第１の撮影手段と、第１の撮影手段により撮影が行われるタイミングと異なる所定のタイミングにおいて、ユーザからの指示によらずに撮影を行う第２の撮影手段とを備える写真シール自動販売機において使用される印刷媒体ユニットであって、印刷媒体ユニットを識別する識別情報を記憶する識別情報記憶手段を備え、識別情報が写真シール自動販売機により認証されたとき使用可能とされることを特徴とする。
【００２２】
識別情報記憶手段は、例えば、ＩＣタグ（制御タグ）、ＩＣカード等のメモリにより構成され、識別情報としての固有のＩＤを記憶する。
【００２３】
このように、識別情報が認証されたときにのみ印刷媒体ユニットが使用可能とされることにより、本発明の写真シール自動販売機に対して生産されたユニットのみが使用可能となり、いわゆる純正品以外のものが使用されることを抑制することができる。また、印刷媒体ユニットにバーコードなどが付されている場合、そのバーコードにより、純正品であるか否かを判断させるようにしてもよい。
【００２４】
【発明の実施の形態】
図１は、本発明を適用した写真シール自動販売機としての画像印刷装置１の構成例を示す斜視図である。
【００２５】
画像印刷装置１の垂直な面１Ａには、保持部材１３を介して撮影装置１２が面１Ａから突出した状態で設けられている。撮影装置１２は、面１Ａに垂直方向に配設されているレール１４に従って、所定の範囲内で上下方向に移動可能とされている。また、撮影装置１２は、保持部材１３との接合部を中心として、垂直平面内で上下方向に首振り自在に保持部材１３に取り付けられている。
【００２６】
従って、画像印刷装置１を利用するユーザは、撮影装置１２をレール１４に従って好みの高さに調節し、また、撮影装置１２の正面（ＣＣＤ（Ｃｈａｒｇｅ　Ｃｏｕｐｌｅｄ　Ｄｅｖｉｃｅ）２１および画像表示部２２が設けられている面）を好みの角度に調節し、撮影を行うことができる。
【００２７】
撮影装置１２には、ＣＣＤ２１が設けられ、ＣＣＤ２１の下には画像表示部２２が設けられている。ＣＣＤ２１により被写体の画像が取り込まれ、取り込まれている画像（動画像）がリアルタイムで画像表示部２２に表示される。例えば、ユーザにより指示されたタイミングにおいて、ＣＣＤ２１による撮影が行われ、ユーザ（被写体）の画像が静止画像として画像印刷装置１に保存される。画像表示部２２がＣＣＤ２１の近傍に設けられているため、ユーザは、ＣＣＤ２１に視線を向けた状態で、画像表示部２２に表示される自分自身の画像を確認しながら、撮影を行うことができる。
【００２８】
また、画像印刷装置１においては、ユーザにより撮影を開始することが指示されていない所定のタイミングで、自動的に撮影が行われる。従って、ユーザが意図しないタイミングで撮影が行われるため、意外性のある画像が撮影されることになる。画像印刷装置１により行われる撮影処理については、フローチャートを参照して後に詳述する。
【００２９】
撮影装置１２（レール１４）の左側にはフラッシュ照射部１５−１が設けられており、また、右側にはフラッシュ照射部１５−２が設けられている。フラッシュ照射部１５−１，１５−２は、撮影装置１２（ＣＣＤ２１）により撮影されるタイミングで、画像印刷装置１の内部に設けられている照明装置から出射されるフラッシュ光を透過し、被写体を照射する。
【００３０】
フラッシュ照射部１５−２の下には、ＬＣＤ（Ｌｉｑｕｉｄ　Ｃｒｙｓｔａｌ　Ｄｉｓｐｌａｙ）やＣＲＴ（Ｃａｔｈｏｄｅ−Ｒａｙ　Ｔｕｄｅ）などにより構成される撮影用モニタ１６が設けられている。撮影用モニタ１６には、撮影処理の進行段階に応じて、撮影方法などを案内する各種のメッセージなどが表示される。また、撮影用モニタ１６には、撮影された画像が表示されるため、ユーザは、表示される撮影画像の中から、編集（落書き）対象の画像を選択することができる。後述するように、ユーザは、撮影を終了した後、画像印刷装置１の裏側に移動し、撮影された画像に対して好みの文字や図形などを入力し、編集を施すことができる。
【００３１】
撮影用モニタ１６の下には、面１Ａから突出した状態で操作部１１が設けられている。操作部１１の上面１１Ａは若干斜め上方を向いた状態で設けられており、そこに操作パネル１７が設けられている。ユーザは、操作パネル１７に設けられている各種のボタンにより、撮影処理を進行する。
【００３２】
操作パネル１７には、例えば、撮影用モニタ１６に表示される各種の選択に対して、決定するときに操作される「○ボタン」、決定したものをキャンセルするときに操作される「×ボタン」、撮影用モニタ１６に表示されるカーソルなどを上下左右に移動するときに操作される「矢印ボタン（上下左右ボタン）」などが配置される。また、そのほかにも、撮影を開始するとき操作される「撮影開始ボタン」なども適宜配置される。操作部１１には、撮影用モニタ１６に直接押し当てることで各種の選択を行うための入力ペンなども適宜用意される。
【００３３】
面１Ａの左下には、硬貨投入口１８が設けられている。ユーザは、画像印刷装置１を利用して撮影するとき、所定の代金を硬貨投入口１８に投入する。
【００３４】
撮影用モニタ１６の近傍には、マイクロホン１９が設けられている。マイクロホン１９により、撮影用モニタ１６に表示される説明に従って操作を行っているユーザの音声が集音される。後述するように、例えば、マイクロホン１９により集音された音声に基づいて、ユーザが所定の閾値以上の音量の声を発していることが検出されたときなどの所定のタイミングにおいて、自動的に（ユーザからの操作によらずに）撮影が行われる。
【００３５】
画像印刷装置１の左側面１Ｂの下方には、シール取り出し口３１が設けられている。撮影され、編集等が施された画像が所定の大きさでシール紙に印刷され、得られたシール紙がシール取り出し口３１から排出される。
【００３６】
図２は、画像印刷装置１の面１Ａの反対側に相当する、面１Ｃ側の構成例を示す斜視図である。なお、以下において、適宜、面１Ａが設けられている面を画像印刷装置１の正面として説明し、面１Ａの反対側に相当する、面１Ｃが設けられて面を画像印刷装置１の背面として説明する。
【００３７】
画像印刷装置１の面１Ｃには、編集用モニタ４１−１および４１−２が水平方向に並置されている。編集用モニタ４１−１の下には収納部４２−１が設けられ、そこに、編集用モニタ４１−１に直接押し当てることで画像の編集などを行うための入力ペン４３−１が収納される。同様に、編集用モニタ４１−２の下には収納部４２−２が設けられ、そこに、編集用モニタ４１−２に直接押し当てることで画像の編集などを行うための入力ペン４３−２が収納される。
【００３８】
撮影装置１２により撮影され、編集対象の画像として選択された画像は、ユーザが撮影処理を終了した後、編集用モニタ４１−１および４１−２にそれぞれ表示される。編集用モニタ４１−１および４１−２には、タッチパネルが積層されており、ユーザは、表示されている画像に対し、任意の文字や図形などを、入力ペン４３−１および４３−２を利用して書き込む（入力する）ことができる。
【００３９】
編集用モニタ４１−１および４１−２には、編集対象の画像とともに、様々な編集ツールを選択するためのボタンが表示される。そして、そのボタンが操作され、画像の編集が行われたとき、編集用モニタ４１−１および４１−２には、入力に応じて生成された編集済みの画像が表示される。
【００４０】
入力ペン４３−１および４３−２は、編集用モニタ４１−１および４１−２に積層されるタッチパネルの位置検出方式（例えば、抵抗膜式、超音波式など）に応じて構成される。
【００４１】
編集用モニタ４１−１および４１−２の近傍には、ＣＣＤ４４−１および４４−２がそれぞれ設けられている。後述するように、ＣＣＤ４４−１および４４−２により、画像の編集を行っているユーザの姿が所定のタイミングで撮影される。
【００４２】
図３は、画像印刷装置１の配置の例を示す図である。
【００４３】
画像印刷装置１の正面（面１Ａ）に対向する位置には、所定距離だけ離間して背景パネル６１が設置され、ユーザは、画像印刷装置１と背景パネル６１の間の撮影空間６２において撮影を行う。なお、撮影空間６２には、画像印刷装置１の上面と背景パネル６１により支持される天井部材６３、および、撮影空間６２の内部が外側から見えないように、カーテン６４−１と側面パネル６５−１が設けられている。
【００４４】
撮影を終了した後に移動し、画像の編集を行う空間として、面１Ｃに臨む位置に編集空間７３が設けられている。編集空間７３には、その内部が外部から覗かれるのを防止すべく、カーテンフレーム７１にカーテン７２−１が取り付けられている。カーテン７２−１は、面１Ｂと略同一平面上に設けられ、カーテン７２−２は、面１Ｃに対向して、所定の距離だけ離間して設けられる。なお、この例においては、カーテンフレーム７１は、天井部材４３とほぼ同一平面上に設けられている。
【００４５】
図４は、画像印刷装置１の配置の例を、その上方から示す図である。
【００４６】
図４に示されるように、画像印刷装置１の右側面１Ｄ側にも、面１Ｂ側と同様に、撮影空間６２の内部が外側から覗かれることを防止すべく、カーテン６４−２と側面パネル６５−２が設けられている。撮影空間６２の内部（背景パネル６１、天井部材６３、側面パネル６５−１，６５−２等の内側）は、撮影装置１２により撮影された画像から、ユーザの画像のみをいわゆるクロマキ処理により抽出できるように、例えば、白色や青色などの単一色の面とされる。
【００４７】
図４を参照し、撮影を開始してからシール紙を受け取るまでのユーザの移動について説明する。
【００４８】
ユーザは、画像印刷装置１を利用するとき、白抜き矢印Ａ１で示されるように撮影空間６２に入場し、撮影処理を行う。従って、撮影空間６２が使用されているとき、画像印刷装置１を利用することを所望するユーザは、例えば、側面パネル６１の前方の順番待ち空間７４において、撮影空間６２が空くのを待機することになる。
【００４９】
所定の数の画像を編集対象の画像として選択し、撮影を終えたとき、ユーザは、例えば、白抜き矢印Ａ２で示されるようにして撮影空間６２から退場し、白抜き矢印Ａ３で示されるようにして画像印刷装置１の背面側に設けられる編集空間７３に移動する。
【００５０】
このとき、順番待ち空間７４において順番待ちをしていたユーザ（撮影空間６２が空くのを待機していたユーザ）は、撮影空間６２を先に使用していたユーザの組が編集空間７３に移動することに応じて、撮影空間６２に入場する。
【００５１】
上述したように、編集空間７３から確認できる編集用モニタ４１−１および４１−２には、撮影空間６２において撮影し、選択した画像が表示されるため、ユーザは、それに対して編集を行う。ユーザは、編集を終えたとき、次に、画像印刷装置１の面１Ｂに臨む場所である印刷待ち空間７５に白抜き矢印Ａ４で示されるようにして移動し、編集した画像がシール紙にプリントされ、排出されるまで待機する。
【００５２】
そして、シール取り出し口３１にシール紙が排出されたとき、ユーザは、それを受け取り、画像印刷装置１の利用を終える。これらの移動の案内は、撮影用モニタ１６、編集用モニタ４１−１および４１−２、または図示せぬスピーカなどにより行われる。
【００５３】
このように、撮影を行う空間、編集を行う空間、印刷が終了するのを待機する空間を、画像印刷装置１の異なる面の前方にそれぞれ設けることにより、撮影処理、編集処理、印刷処理を併行して実行させることができ、これらの処理を１つの空間で実行させる場合に較べて、画像印刷装置１を利用する顧客の回転率を向上させることができる。また、撮影処理に要する時間、編集処理に要する時間等をそれぞれのユーザの組に対して長く確保することができる。
【００５４】
図５は、画像印刷装置１の内部の構成例を示すブロック図である。上述したものと同様の構成について、その詳細な説明は適宜省略する。
【００５５】
制御装置９１は、パーソナルコンピュータなどにより構成され、画像印刷装置１の全体の動作を制御する。具体的には、制御装置９１に設けられているＣＰＵ（Ｃｅｎｔｒａｌ　Ｐｒｏｃｅｓｓｉｎｇ　Ｕｎｉｔ）１３１により、ＲＯＭ（Ｒｅａｄ　Ｏｎｌｙ　Ｍｅｍｏｒｙ）１３２やハードディスクなどにより構成される記憶部１３６（いずれも図６）に記憶されているプログラムに基づく処理が実行される。
【００５６】
硬貨処理部９２は、ユーザにより所定の代金が硬貨投入口１８に投入されたとき、それを検出し、制御装置９１に通知する。照明制御部９３は、撮影装置１２により被写体が撮影されるタイミングに併せて、制御装置９１からの指示に基づいてフラッシュ光を出射する。出射されたフラッシュ光は、図１のフラッシュ照射部１５−１および１５−２を介して被写体（ユーザ）を照射する。
【００５７】
画像印刷装置１の面１Ｃに設けられている編集用モニタ４１−１にはタッチパネル９４−１が、編集用モニタ４１−２にはタッチパネル９４−２がそれぞれ積層されている。タッチパネル９４−１および９４−２は、入力ペン４３−１および４３−２により入力されたユーザからの指示を制御装置９１に出力する。
【００５８】
プリンタユニット９５は、プリンタ部１１１と制御タグリーダライタ１１２により構成され、プリンタユニット９５に装着されるシール紙ユニット９６は、シール紙１２１と、個々のシール紙ユニット９６を識別する識別情報等を管理する制御タグ１２２により構成される。
【００５９】
プリンタ部１１１は、編集処理等が施された画像データが制御装置９１から供給されたとき、供給された画像データにより表される画像を、ユーザにより選択された画像のサイズおよび分割数に従って、シール紙１２１に印刷し、シール紙１２１をシール取り出し口３１に排出する。
【００６０】
制御タグリーダライタ１１２は、制御タグ１２２に記憶されている識別情報を接触または非接触により読み出し、制御装置９１に出力する。制御装置９１は、制御タグリーダライタ１１２から供給された識別情報に基づいて、装着されているシール紙ユニット９６が、画像印刷装置１において利用可能なユニットであるか否かを判定し、利用可能なユニットであると判定したときにのみ、プリンタ部１１１を動作可能にする。すなわち、制御装置９１により、画像印刷装置１において利用可能とされるシール紙ユニットの識別情報が管理されている。
【００６１】
これにより、画像印刷装置１に対応していない（純正のものでない）シール紙が利用されるのを抑制することができる。また、制御タグ１２２により、シール紙１２１の残量等も管理される。なお、シール紙ユニット９６が純正のものであるか否かを、シール紙ユニット９６にプリントされているバーコードなどにより確認させるようにしてもよい。
【００６２】
図６は、図５の制御装置９１の詳細な構成例を示すブロック図である。
【００６３】
ＣＰＵ１３１は、ＲＯＭ１３２に記憶されているプログラム、または、記憶部１３６からＲＡＭ（Ｒａｎｄｏｍ　Ａｃｃｅｓｓ　Ｍｅｍｏｒｙ）１３３にロードされたプログラムに従って各種の処理を実行する。ＲＡＭ１３３にはまた、ＣＰＵ１３１が各種の処理を実行する上において必要なデータなどが適宜記憶される。
【００６４】
ＣＰＵ１３１、ＲＯＭ１３２、およびＲＡＭ１３３は、バス１３４を介して相互に接続されている。バス１３４にはまた、入出力インタフェース１３５も接続されている。
【００６５】
入出力インタフェース１３５には、図５に示される、撮影装置１２、撮影用モニタ１６、操作パネル１７、マイクロホン１９、編集用モニタ４１−１および４１−２（編集用モニタ４１）、ＣＣＤ４４−１および４４−２（ＣＣＤ４４）、硬貨処理部９２、照明制御部９３、タッチパネル９４−１および９４−２（タッチパネル９４）、およびプリンタユニット９５が接続されている。
【００６６】
記憶部１３６は、ＣＰＵ１３１により実行されるプログラムの他、撮影装置１２により取り込まれている被写体の画像と合成する背景画像のデータや、撮影して得られた画像のデータなどを記憶する。後述するように、撮影処理においては、所定の回数だけ撮影を行うことができるようになされており、記憶部１３６には、撮影回数に対応する数の画像のデータが記憶される。
【００６７】
入出力インタフェース１３５にはまた、必要に応じてドライブ１３７が接続され、磁気ディスク１５１、光ディスク１５２、光磁気ディスク１５３、或いは半導体メモリ１５４などが適宜装着され、それらから読み出されたコンピュータプログラムや背景画像データが必要に応じて記憶部１３６に保存される。
【００６８】
次に、画像印刷装置１の処理について、フローチャートを参照して説明する。
【００６９】
始めに、図７のフローチャートを参照して、画像印刷装置１を利用する顧客（ユーザ）に応対する、画像印刷装置１の全体の処理について説明する。
【００７０】
ステップＳ１において、制御装置９１のＣＰＵ１３１は、硬貨処理部９２からの出力に基づいて、代金が投入されたか否か、すなわち、撮影を開始するユーザがいるか否かを判定し、代金が投入されたと判定するまで待機する。
【００７１】
ＣＰＵ１３１は、ステップＳ１において、代金が投入されたと判定した場合、ステップＳ２に進み、撮影空間６２における撮影処理を実行する。すなわち、予め設定されている回数だけ撮影が繰り返し行われ、得られた画像の中から、編集する画像が選択されたとき、撮影処理が終了される。ステップＳ２において実行される撮影処理については、図８および図１１のフローチャートを参照して後に詳述する。
【００７２】
ステップＳ３において、ＣＰＵ１３１は、ユーザからの入力に応じて、撮影した画像を編集する編集処理を実行する。ステップＳ３において実行される編集処理については、図１４のフローチャートを参照して後に詳述する。
【００７３】
ＣＰＵ１３１は、ステップＳ４において、編集処理により編集され、生成された編集画像の画像データをプリンタユニット９５のプリンタ部１１１に転送し、印刷させる。そして、印刷処理が終了されたとき、ステップＳ１に戻り、以上の処理が繰り返し実行される。
【００７４】
なお、図７に示される処理は、記載された順序に従って時系列的に行われるだけでなく、そのときの画像印刷装置１の利用状況に応じて並列的にも行われる。例えば、第１のユーザが撮影空間６２において撮影を終了させ、編集空間７３に移動した直後に、第２のユーザが撮影空間６２において撮影を開始した場合、図７のステップＳ２の撮影処理（第２のユーザの処理）とステップＳ３の編集処理（第１のユーザの処理）が並列して行われることになる。同様に、撮影処理、編集処理、および、ステップＳ４における印刷処理のそれぞれが状況に応じて並列して行われる。
【００７５】
次に、図８のフローチャートを参照して、図７のステップＳ２において実行される撮影処理の詳細について説明する。
【００７６】
ステップＳ１１において、ＣＰＵ１３１は、ユーザからの入力に基づいて、例えば、撮影装置１２の高さ、撮影アングル、撮影モードなどの撮影条件を設定する。具体的には、ＣＰＵ１３１は、各種の撮影環境を設定する画面を撮影用モニタ１６に順次表示し、表示される画面に対するユーザの入力に従って撮影装置１２などを制御し、撮影条件を設定する。
【００７７】
ステップＳ１２において、ＣＰＵ１３１は、撮影用モニタ１６に撮影画面を表示させる。この撮影画面には、例えば、ＣＣＤ２１により取り込まれているユーザの動画像（リアルビュー）、および、撮影の開始を指示するとき操作される撮影開始ボタンなどが表示される。
【００７８】
ステップＳ１３において、ＣＰＵ１３１は、撮影画面に表示されている撮影開始ボタンが操作されたか否かに基づいて、撮影を開始することがユーザにより指示されたか否かを判定し、撮影を開始することが指示されていないと判定した場合、ステップＳ１２に戻り、撮影画面の表示を続ける。
【００７９】
一方、ＣＰＵ１３１は、ステップＳ１３において、撮影を開始することがユーザから指示されたと判定した場合、ステップＳ１４に進み、撮影装置１２を制御し、設定されている撮影条件に従って撮影を行う。例えば、撮影までのカウントダウンが撮影用モニタ１６に表示され、撮影までの時間が「０」になったとき（カウントダウンが「０」になったとき）、照明制御部９３を制御し、フラッシュを被写体に照射させるとともに、ＣＣＤ２１により撮影を行う（シャッターを閉じる）。撮影により得られた画像のデータは、ＲＡＭ１３３または記憶部１３６に保存される。
【００８０】
ＣＰＵ１３１は、ステップＳ１５において、直前の撮影により得られた撮影結果の画像を撮影用モニタ１６に表示し、ユーザに確認させる。
【００８１】
図９は、ステップＳ１５において撮影用モニタ１６に表示される画面の例を示す図であり、図９に示されるように、画面のほぼ中央に、ＣＣＤ２１により撮影された画像Ｐ１が表示される。ユーザは、撮影された画像Ｐ１を、この画面において確認する。
【００８２】
ＣＰＵ１３１は、ステップＳ１６において、撮影結果の画像を表示してから（図９の画面を表示してから）所定の時間が経過したか否かを判定し、所定の時間が経過したと判定するまで待機する。この所定の時間は、例えば、４，５秒とされ、ＣＰＵ１３１は、ステップＳ１６において、撮影結果の画像を表示してから所定の時間が経過したと判定した場合、ステップＳ１７に進み、ユーザからの指示によらずに、不意打ち的に撮影を行う（以下、適宜、ユーザからの指示によらずに行われる撮影を不意打ち撮影と称する）。
【００８３】
すなわち、ステップＳ１７において行われる不意打ち撮影により、撮影結果の画像を確認しているユーザの姿が突然撮影されることになり、ステップＳ１４において行われる撮影の場合とは異なり、ユーザが撮影に備えて表情やポーズを調整する時間がないため、通常通りの、自然なユーザの表情などを撮影することができる。また、意外性のある画像を撮影することができるため、より面白みのある撮影を提供することができる。
【００８４】
以上の不意打ち撮影により得られた画像のデータも、ステップＳ１４において行われた撮影（ユーザからの指示に基づいて行われた撮影）により得られた画像のデータと同様にＲＡＭ１３３などに保存される。
【００８５】
ステップＳ１８において、ＣＰＵ１３１は、撮影を終了するか否かを判定し、撮影を終了すると判定するまで、ステップＳ１２に戻り、以降の処理を繰り返し実行する。例えば、画像印刷装置１には撮影可能回数が所定の数だけ予め設定されており、残りの撮影可能回数が「０」になったとき撮影が終了される。また、予め設定されている制限時間の残り時間がなくなったとき、強制的に撮影が終了される。
【００８６】
ＣＰＵ１３１は、ステップＳ１８において、撮影を終了すると判定した場合、ステップＳ１９に進み、撮影用モニタ１６の表示を制御し、撮影結果の画像を一覧表示し、編集処理において編集を施す画像（編集対象画像）をユーザに選択させる。
【００８７】
図１０は、ステップＳ１９において撮影用モニタ１６に表示される画面の例を示す図である。
【００８８】
図１０に示される表示例においては、画面の上方に「この中から４つだけ画像を選んでね」のメッセージが表示されており、その下に、ステップＳ１４で撮影された画像と、ステップＳ１７において行われた不意打ち撮影により得られた画像（画像Ｐ１１乃至Ｐ１８）が一覧表示されている。
【００８９】
また、画像Ｐ１１乃至Ｐ１８の下には、「選ばれた画像がここに表示されるよ」のメッセージが表示され、そのメッセージの下に、編集対象の画像として選択された４種類までの画像が表示される。例えば、ユーザは、画面の下方に表示されている案内に従って、操作パネル１７の操作によりカーソル１６１を移動させ、決定ボタン（丸ボタン）を押下することで編集対象の画像を選択する。
【００９０】
図１０の例においては、一覧表示されている画像Ｐ１１乃至Ｐ１８の中から、画像Ｐ１１が編集対象の画像として選択されており、ユーザは、続いて３種類の画像を選択することができる。なお、画面の右上方には、編集対象画像の選択に対して設定されている残りの制限時間が表示されており、図１０の例においては「７３秒」とされている。
【００９１】
図８の説明に戻り、ＣＰＵ１３１は、ステップＳ２０において、編集する画像の選択を受け付け、ステップＳ２１に進み、画像の選択が終了されたか否かを判定する。ＣＰＵ１３１は、画像の選択が終了していないと判定した場合、ステップＳ１９に戻り、図１０に示されるような選択画面を表示し続ける。
【００９２】
一方、ＣＰＵ１３１は、ステップＳ２１において、例えば、４種類の画像が編集対象画像として選択されたため、画像の選択が終了されたと判定した場合、撮影処理を終了させる。その後、図７のステップＳ３以降の処理が実行される。
【００９３】
撮影処理が終了されたとき、撮影用モニタ１６には、例えば、「機械の裏側に移動してね」などのメッセージが表示され、ユーザに対して、編集空間７３に移動することが案内される。この案内に従って、撮影処理を終えたユーザは、撮影空間６２から編集空間７３に移動する。
【００９４】
以上においては、ユーザから指示されたときに通常の撮影が行われ、その撮影結果の画像が表示されている所定のタイミングで不意打ち撮影が行われるとしたが、不意打ち撮影が行われるタイミングは、どのようなタイミングであってもよい。
【００９５】
次に、図１１のフローチャートを参照して、ユーザが編集対象の画像を選択しているときに不意打ち撮影が行われる場合の撮影処理（図７のステップＳ２において行われる撮影処理）の詳細について説明する。
【００９６】
ステップＳ３１乃至Ｓ３４の処理は、図８のステップＳ１１乃至Ｓ１４の処理と同様の処理である。すなわち、ステップＳ３１において、ユーザからの操作に基づいて撮影条件が設定され、ステップＳ３２で表示される撮影画面において、撮影を開始することが指示されたとき、ステップＳ３４に進み、撮影が行われる。
【００９７】
ステップＳ３５において、ＣＰＵ１３１は、撮影を終了するか否かを判定し、例えば、撮影可能回数がまだ残っているため、撮影を終了しないと判定した場合、ステップＳ３２に戻り、それ以降の処理を繰り返し実行する。
【００９８】
一方、ＣＰＵ１３１は、ステップＳ３５において、撮影を終了すると判定した場合、ステップＳ３６に進み、撮影結果の画像を一覧表示し、複数の画像の中から編集対象の画像をユーザに選択させる。
【００９９】
図１２は、ステップＳ３６において撮影用モニタ１６に表示される選択画面の例を示す図であり、例えば、図１０に示される画面と基本的に同様の画面が表示される。上述したものと同様の部分については、その詳細な説明は省略する。
【０１００】
この例においては、ユーザからの指示に応じて５回撮影が行われ、その撮影結果の画像としての画像Ｐ２１乃至Ｐ２５が一覧表示されている。また、画像Ｐ２３の右隣の欄（画像の表示部）、画像Ｐ２６の左右の欄には、いずれの画像も表示されていない。
【０１０１】
ユーザは、カーソル１７１を移動させ、表示されている画像の中から編集対象の４種類の画像を選択する。
【０１０２】
ステップＳ３７において、ＣＰＵ１３１は、ユーザからの操作に基づいて、編集対象の画像の選択を受け付け、ステップＳ３８に進み、画像の選択が終了されたか否かを判定する。
【０１０３】
ＣＰＵ１３１は、ステップＳ３８において、画像の選択が終了されていない（図１２の選択画面において４種類の画像が選択されていない）と判定した場合、ステップＳ３９に進み、撮影結果の画像が一覧表示されてから所定の時間が経過したか否か、すなわち、図１２に示される選択画面が表示されてから所定の時間が経過したか否かを判定する。
【０１０４】
ステップＳ３８において、ＣＰＵ１３１は、撮影結果の画像が一覧表示されてから所定の時間が経過していないと判定した場合、ステップＳ３６に戻り、それ以降の処理を繰り返し実行し、一方、撮影結果の画像が一覧表示されてから所定の時間が経過したと判定した場合、ステップＳ４０に進む。
【０１０５】
例えば、撮影結果の画像が一覧表示されてから４，５秒経過したとき、ステップＳ４０において、不意打ち撮影が行われる。これにより、編集対象の画像を選択しているユーザの姿が撮影されることになる。
【０１０６】
ＣＰＵ１３１は、ステップＳ４１において、不意打ち撮影により得られた画像を、撮影結果の画像として編集対象画像の選択画面に追加して表示する。従って、図１２に示される選択画面は、不意打ち撮影が行われることにより、図１３に示される画面に更新される。
【０１０７】
図１３に示される選択画面の例においては、図１２に示される画面と比較して、画像Ｐ３１が撮影結果の画像の一覧に追加され、画像Ｐ２３の右隣（画像が表示されていなかった領域）に表示されている。また、追加された画像Ｐ３１の周りは、例えば、所定の色の枠が表示されたり、点滅して表示されているため、ユーザは、不意打ち撮影により選択できる画像が追加されたことを直感的に確認することができる。
【０１０８】
なお、不意打ち撮影が行われ、画像が追加されたときの残りの制限時間は「６９秒」とされ、図１２に示される画面が表示されてから４秒後の画面であることが表されている。
【０１０９】
このように、ユーザが意図しないタイミングで撮影が行われ、編集対象の画像として選択できる画像が突然追加されるため、より驚きのある、換言すれば、面白みのある撮影を提供することができる。
【０１１０】
その後、不意打ち撮影が再度行われた場合、得られた画像は、例えば、画像Ｐ２１の下の欄に追加して表示される。
【０１１１】
不意打ち撮影による撮影結果の画像の中からも編集対象の画像が選択され、ステップＳ３８において、例えば、４種類の編集対象の画像が選択されたと判定された場合、撮影処理が終了される。
【０１１２】
以上においては、撮影結果の画像を確認する画面が表示されているとき（図９の画面が表示されているとき）、または、編集対象画像を選択する画面が表示されているとき（図１２に示される画面が表示されているとき）のいずれか一方のタイミングで不意打ち撮影が行われるとしたが、その両方のタイミングで不意打ち撮影が行われるようにしてもよい。
【０１１３】
また、撮影空間６２において撮影が行われている期間内であれば、いずれのタイミングで不意打ち撮影が行われるようにしてもよく、例えば、代金が投入された直後に突然撮影が行われるようにしてもよいし、編集空間７３への移動が案内されてから撮影が行われるようにしてもよい。
【０１１４】
さらに、後に詳述するように、編集処理においても不意打ち撮影が行われるようにすることができる。
【０１１５】
以上においては、不意打ち撮影が行われるとき、例えば、撮影結果の画像のみが画面に表示されているとしたが、ユーザの表情に影響を与えることが予想される情報であれば、動画像や静止画像、或いは、音声情報などの様々な情報が、撮影結果の画像とともに、または撮影結果の画像とは別に出力されるようにしてもよい。
【０１１６】
例えば、撮影結果の画像に重畳して、幽霊の画像（アニメーション）が突然表示されることにより、驚いているユーザの表情を撮影できることが期待でき、撮影結果の画像が突然回転し始めることで、困惑しているユーザの表情を撮影できることが期待できる。
【０１１７】
また、撮影結果の画像とは別に、例えば、子犬の動画像が表示され、それを見ているユーザの表情を撮影することにより（動画像が表示されている期間の所定のタイミングにおいて撮影を行うことにより）、目を細めているユーザの表情を撮影できることが期待できる。すなわち、これらのユーザの表情に変化を与えることが予想される情報が出力されることにより、カメラに身構えていない、普段通りのユーザの姿や表情を撮影することができる。
【０１１８】
次に、図１４のフローチャートを参照して、図７のステップＳ３において実行される編集処理の詳細について説明する。
【０１１９】
ステップＳ５１において、ＣＰＵ１３１は、編集対象の画像として選択された画像データを読み出し、読み出したデータに基づいて編集画面を編集用モニタ４１−１および４１−２に表示させる。
【０１２０】
図１５は、編集画面の表示例を示す図である。
【０１２１】
上述したように、編集用モニタ４１−１および４１−２は、画像印刷装置１の面１Ｃに水平方向に並置して設けられており、図１５に示されるような編集画面がそれぞれのモニタに表示される。
【０１２２】
例えば、編集処理が開始されたとき、編集用モニタ４１−１の中央に吹き出し１９１が表示され、そこに「らくがき中に撮影されるかも？２枚くらい」のメッセージが表示される。すなわち、後述するように、編集処理が開始されたとき、編集処理と並行して不意打ち撮影処理が行われており、不意打ち撮影が行われる可能性のあることがユーザに案内される。
【０１２３】
また、編集用モニタ４１−１に表示される編集画面には、編集対象の画像が拡大して表示される編集対象画像表示部２０１が表示され、ユーザは、編集対象画像表示部２０１に表示させる画像を、画像選択部２０２に表示されている画像の中から入力ペン４３−１によりカーソル２０２Ｃを移動させて選択する。画像選択部２０２には、撮影処理において、編集対象の画像として選択された４種類の画像が一覧表示されている。
【０１２４】
編集対象画像表示部２０１の近傍には、編集ツールを選択するとき操作される各種のボタンが表示される。例えば、編集対象画像に線や文字などを入力するための「ペンツール」を選択するとき操作されるペンメニュー２０３、編集対象画像に所定のスタンプ画像を配置する「スタンプツール」を選択するとき操作されるスタンプメニュー２０４、「ペンツール」により入力される文字などの色を選択するとき操作される色選択メニュー２０５が表示される。
【０１２５】
また、１度入力した落書き等を消すための「消しゴムツール」を選択するとき操作される消しゴムメニュー２０６、被写体の背景部分に好みのテクスチャを配置する「背景ブラシツール」と、その範囲を選択するとき操作される範囲調整メニュー２０７、および、「ペンツール」の太さを選択するとき操作される太さメニュー２０８が表示される。
【０１２６】
また、編集画面には、編集対象画像表示部２０１に表示されている画像の表示方向（縦方向、横方向）を切り換えるとき操作される切り換えボタン２０９、直前に入力した編集を取り消すとき操作されるやり直しボタン２１０、入力した編集を全て取り消すとき操作されるやり直しボタン２１１が表示される。さらに、編集用モニタ４１−１の右下には、編集処理を終了し、印刷を開始するとき操作される終了ボタン２１２が表示される。
【０１２７】
なお、編集画面の右上には、編集処理に対して設定されている制限時間が表示されており、図１５に示される例においては「９０秒」とされている。
【０１２８】
図１４の説明に戻り、編集画面において選択されたツールに基づく編集がタッチパネル９４−１，９４−２を介して入力されたとき、ＣＰＵ１３１は、ステップＳ５２において、ユーザからの入力に応じて、編集対象として選択されている画像を編集する。例えば、所定のペンツールがペンメニュー２０３から選択され、文字が編集対象画像に入力されたとき、ＣＰＵ１３１は、入力された文字に対応する画像を編集対象画像に重畳して表示させる。
【０１２９】
ステップＳ５３において、ＣＰＵ１３１は、編集処理と並行して実行されている不意打ち撮影処理により、不意打ち撮影が行われたか否かを判定し、不意打ち撮影が実行されたと判定した場合、ステップＳ５４に進み、不意打ち撮影による撮影結果の画像を画像選択部２０２に追加する。ステップＳ５３において不意打ち撮影が行われていないと判定された場合、ステップＳ５４の処理はスキップされる。
【０１３０】
不意打ち撮影が行われるとき（後述する図１８のステップＳ７６）、例えば、編集画面には、図１６に示されるように、カメラマンのキャラクタＣが画面の端から現れる画像が表示される。そして、画面のほぼ中央で、画像を編集しているユーザを撮影するカメラマンの画像が表示されるタイミングに合わせて、ＣＣＤ４４−１および４４−２により撮影（不意打ち撮影）が行われる。
【０１３１】
不意打ち撮影が行われた直後には、図１７に示されるように、撮影結果の画像が画像選択部２０２に追加して表示される。
【０１３２】
図１７の表示例においては、画像Ｐ５１が不意打ち撮影により追加され、画像Ｐ５１の近傍に表示されている吹き出し２２１に「追加されたよ」のメッセージが表示されている。ユーザは、画像選択部２０２に追加された画像Ｐ５１を選択することで編集対象画像表示部２０１に拡大表示させ、画像Ｐ５１に対して編集（落書き）を施すことができる。
【０１３３】
なお、図１６に示される画面は、編集処理の残り時間が「５１秒」のタイミングで表示された画面とされ、図１７に示される画面は、図１６に示される画面が表示された「１秒後」の、編集処理の残り時間が「５０秒」のタイミングで表示された画面とされている。
【０１３４】
このように、ユーザが画像を編集しているときに突然撮影が行われるため、撮影を楽しんでいるユーザの自然な表情を撮影することができる。
【０１３５】
ＣＰＵ１３１は、ステップＳ５５において、編集処理を終了するか否かを判定し、例えば、終了ボタン２１２が操作されていないため、編集処理を終了しないと判定した場合、ステップＳ５２に戻り、以上の処理を繰り返し実行する。
【０１３６】
一方、終了ボタン２１２が操作された場合、または、予め設定されている制限時間が終了した場合、ＣＰＵ１３１は、ステップＳ５５において、編集処理を終了すると判定し、ステップＳ５６に進み、ステップＳ５１乃至Ｓ５５の処理が行われた期間において、不意打ち撮影が行われたか否かを判定する。
【０１３７】
ＣＰＵ１３１は、ステップＳ５６において、不意打ち撮影があったと判定した場合、ステップＳ５７に進み、落書きが施された画像を、シール紙１２１に印刷する画像として選択する。すなわち、シール紙１２１に印刷可能な画像の数が４種類までであり、撮影が行われた後に４種類の画像が既に選択されているにも関わらず、編集処理において不意打ち撮影が行われた場合、印刷可能とされている４種類以上の画像がＲＡＭ１３３に保存されている状態となるため、例えば、印刷する画像として、４種類の編集済みの画像が選択されるように、画像の抽出（絞り込み）が行われる。
【０１３８】
なお、４種類以上の画像に対して編集が施されている場合、例えば、４種類の画像がランダムに選択される。当然、シール紙１２１に印刷する４種類の画像をユーザに選択させるようにしてもよい。
【０１３９】
一方、ステップＳ５６において、ステップＳ５１乃至Ｓ５５の処理の期間に不意打ち撮影が行われていないと判定された場合、ステップＳ５７の処理はスキップされる。
【０１４０】
ステップＳ５８において、ＣＰＵ１３１は、シール紙１２１に印刷される画像の配置と大きさを選択する分割数（印刷パターン）の選択画面を編集用モニタ４１−１および４１−２に表示させ、ユーザに好みの分割数を選択させる。すなわち、画像印刷装置１には、複数の分割数が予め用意されており、ユーザが好みの印刷パターンを選択できるようになされている。ユーザにより分割数が選択されたとき、編集処理が終了される。
【０１４１】
編集処理が終了されたとき、ＣＰＵ１３１は、編集用モニタ４１−１および４１−２に、印刷待ち空間７５に移動することを案内するメッセージを表示させる。ユーザは、表示されるメッセージに従って印刷待ち空間７５に移動し、シール取り出し口３１からシール紙が排出されてくるのを待機する。
【０１４２】
その後、処理は図７のステップＳ４に進み、編集が施された合成画像がシール紙１２１に印刷される。すなわち、ＣＰＵ１３１により、編集が施された合成画像のデータがプリンタ部１１１に出力され、そのデータに基づいて、シール紙１２１に画像が印刷される。合成画像が印刷されたシール紙１２１は、シール取り出し口３１から排出される。
【０１４３】
次に、図１８のフローチャートを参照して、図１４を参照して説明した編集処理と並行して実行される、画像印刷装置１の不意打ち撮影処理について説明する。
【０１４４】
ステップＳ７１において、ＣＰＵ１３１は、不意打ち撮影を行うタイミングと、編集処理の最中に行われる不意打ち撮影の回数を取得する。例えば、代金が投入されたとき、或いは、編集処理が開始されたときなどの所定のタイミングにおいて、編集処理の最中に行われる不意打ち撮影のタイミングと回数が決定されており、それがＲＡＭ１３３に保存されている。
【０１４５】
編集処理における不意打ち撮影は、ユーザの編集操作に影響を与えないように、例えば、編集処理に対して設定されている制限時間のうちの前半に行われる。具体的には、上述したように編集処理の制限時間として「９０秒」が設定されている場合、編集処理が開始されてから「６０秒」までの間に不意打ち撮影が行われる。
【０１４６】
不意打ち撮影のタイミングは、例えば、０乃至１の値がランダムに選択され、選択された値と、不意打ち撮影が行われる上限の時間としての「６０（秒）」を乗算して得られたタイミングとされる。例えば、「０．５」の値がランダムに選択された場合、その値と「６０秒」の乗算した結果により、編集処理が開始されてから「３０秒」経過したときが、不意打ち撮影のタイミングとして決定され、保存される。
【０１４７】
ＣＰＵ１３１は、ステップＳ７２において、撮影カウント値を「０」に設定し、ステップＳ７３に進み、編集処理が開始されてからの時間を取得する。この撮影カウント値は、不意打ち撮影が行われた回数を表している。
【０１４８】
ステップＳ７４において、ＣＰＵ１３１は、ステップＳ７１で取得した不意打ち撮影のタイミングと、ステップＳ７３で取得した編集処理が開始されてからの時間に基づいて、不意打ち撮影を行うタイミングになったか否かを判定する。
【０１４９】
ＣＰＵ１３１は、ステップＳ７４において、不意打ち撮影を行うタイミングになっていないと判定した場合、ステップＳ７３に戻り、それ以降の処理を繰り返し実行し、一方、不意打ち撮影を行うタイミングになったと判定した場合、ステップＳ７５に進む。
【０１５０】
ステップＳ７５において、ＣＰＵ１３１は、撮影カウント値が、予め設定されている（ステップＳ７１で取得した）不意打ち撮影回数より小さいか否かを判定し、小さくない（大きい）と判定した場合、ステップＳ７３に戻り、それ以降の処理を繰り返し実行する。上述したように、図１８に示される不意打ち撮影処理は、編集処理と並行して実行されているため、ステップＳ７３以降の処理が、編集処理が終了されるまで繰り返し実行される。
【０１５１】
一方、ステップＳ７５において、ＣＰＵ１３１は、撮影カウント値が、予め設定されている不意打ち撮影回数より小さいと判定した場合、ステップＳ７６に進み、アニメーションを編集用モニタ４１−１および４１−２に表示するとともに、不意打ち撮影を行う。
【０１５２】
すなわち、ステップＳ７６において、編集用モニタ４１−１および４１−２には、図１６に示されるように、編集を行っているユーザを、カメラマンが撮影するようなアニメーションが表示され、カメラマンが撮影するタイミングに合わせて、ＣＣＤ４４−１および４４−２により撮影が行われる。不意打ち撮影による撮影結果の画像は、ＲＡＭ１３３などに保存されるとともに、画像選択部２０２に追加して表示される（図１４のステップＳ５４）。
【０１５３】
不意打ち撮影が行われた後、ＣＰＵ１３１は、ステップＳ７７において、撮影カウント値に１を加算し、ステップＳ７３に戻り、それ以降の処理を繰り返し実行する。すなわち、不意打ち撮影が複数回行われることが予定されている場合、予定されているタイミングになったとき、再度、不意打ち撮影が行われる。
【０１５４】
図１４に示される編集処理が終了されたとき、それに伴い、図１８に示される不意打ち撮影処理も終了される。
【０１５５】
以上の例においては、不意打ち撮影が行われるときに表示されるキャラクタはカメラマンのキャラクタであるとしたが、それ以外にも、様々なキャラクタが表示され、キャラクタのアニメーションとともに、不意打ち撮影が行われるようにすることができる。
【０１５６】
例えば、ＵＦＯから登場してきた宇宙人により、突然撮影が行われるアニメーションが表示されるようにしてもよいし、銃を持った人物が現れ、その銃をユーザ側に向けて発砲するアニメーションが表示され、その直後に撮影が行われるようにしてもよい。これにより、表示されるアニメーションにより驚いているユーザの表情が撮影される。
【０１５７】
また、上述したようなアニメーションが、撮影処理において不意打ち撮影が行われるときに表示されるようにしてもよい。その際、アニメーションの表示とともに、音声や効果音が図示せぬスピーカから出力されるようにしてもよい。
【０１５８】
さらに、以上においては、ランダムに所定の値が選択され、その値に基づいて、不意打ち撮影が行われるタイミングが決定されるとしたが、撮影のタイミングだけでなく、不意打ち撮影が行われるか否か自体が、ランダムに選択された値に基づいて決定されるようにしてもよい。これにより、不意打ち撮影が行われるかもしれないという期待感をユーザに与えることができる。
【０１５９】
図１９は、画像印刷装置１により印刷され、シール取り出し口３１に排出されたシール紙の例を示す図である。
【０１６０】
図１９に示されるように、シール紙２３１には、ユーザにより設定された分割数（４分割）に従って、文字や図形などの編集（落書き）が施された画像が印刷される。
【０１６１】
なお、図１９の編集画像において、被写体の画像（人物の画像）の周辺に、或いは、被写体の画像に一部重畳して示されている「コノヤロ」、「スゴイ」の文字、およびハート形や星形のスタンプ画像はユーザにより入力された編集画像である。このように、ユーザは、好みの文字や画像を、撮影された画像に対して施すことができる。
【０１６２】
このようなシール紙が、画像印刷装置１を利用したユーザに対して提供される。
【０１６３】
以上においては、ユーザが撮影結果の画像を確認しているとき、編集対象の画像を選択しているとき、或いは、選択した画像を編集しているときの所定のタイミングで不意打ち撮影が行われるとしたが、ユーザの所定の行動をトリガとして撮影が行われるようにしてもよい。
【０１６４】
例えば、マイクロホン１９により集音されたユーザの音声に基づいて、音量が所定の閾値を超えたことが判定されたとき、それをトリガとして不意打ち撮影が行われるようにすることができる。所定の閾値以上の音量の音声が検出されたとき、ユーザ（複数のユーザ）が、表示されている画像を見て盛り上がっていることが予想されるため、このときに不意打ち撮影を行うことで、より自然なユーザの表情や姿を撮影することができる。
【０１６５】
また、ＣＰＵ１３１による音声認識の結果、例えば、ユーザが「わー！」などの所定の言葉を発していたことが検出されたとき、それをトリガとして不意打ち撮影が行われるようにすることができる。例えば、撮影用モニタ１６に「「わー！」と叫ぶと撮影されるよ」などの案内を表示することで、ユーザは、その案内に従って叫ぶ毎に撮影を行うことができる。すなわち、ユーザが叫ぶたびに撮影結果の画像が増えていくため、ボタンを操作し、撮影の開始を指示してから撮影を行う場合と較べて、意外感のある、より面白みのある撮影を提供することができる。
【０１６６】
さらに、ＣＣＤ２１により取り込まれているユーザの画像を解析し、ユーザが撮影用モニタ１６に表示されている画像を指していることが検出されたとき、それをトリガとして撮影を行うなど、様々なユーザの行動をトリガとして不意打ち撮影を行うようにすることができる。
【０１６７】
以上においては、編集処理において行われた不意打ち撮影により取得された画像は、編集対象の画像として追加されるとしたが、不意打ち撮影により取得された画像が、そのとき編集対象画像表示部２０１に拡大表示されている画像に重畳して、スタンプ画像として入力されるようにしてもよい。
【０１６８】
【発明の効果】
本発明によれば、自然な表情や姿をしているユーザを撮影することができる。
【０１６９】
また、本発明によれば、意外性のある画像を撮影することができ、より面白みのある撮影を提供することができる。
【図面の簡単な説明】
【図１】本発明を適用した画像印刷装置の外観の例を示す斜視図である。
【図２】本発明を適用した画像印刷装置の他の外観の例を示す斜視図である。
【図３】図１の画像印刷装置の配置の例を示す図である。
【図４】図１の画像印刷装置の配置の例を上方から示す図である。
【図５】図１の画像印刷装置の構成例を示すブロック図である。
【図６】図５の制御装置の構成例を示すブロック図である。
【図７】画像印刷装置の顧客応対処理を説明するフローチャートである。
【図８】図７のステップＳ２において実行される撮影処理の詳細を説明するフローチャートである。
【図９】図８のステップＳ１５において表示される撮影用モニタの表示例を示す図である。
【図１０】図８のステップＳ１９において表示される撮影用モニタの表示例を示す図である。
【図１１】図７のステップＳ２において実行される撮影処理の詳細を説明する他のフローチャートである。
【図１２】図１１のステップＳ３６において表示される撮影用モニタの表示例を示す図である。
【図１３】図１１のステップＳ４１において表示される撮影用モニタの表示例を示す図である。
【図１４】図７のステップＳ３において実行される編集処理の詳細を説明するフローチャートである。
【図１５】図１４のステップＳ５１において表示される編集用モニタの表示例を示す図である。
【図１６】編集用モニタの表示例を示す図である。
【図１７】編集用モニタの他の表示例を示す図である。
【図１８】画像印刷装置の不意打ち撮影処理を説明するフローチャートである。
【図１９】シール紙の例を示す図である。
【符号の説明】
１　画像印刷装置
１２　撮影装置
１６　撮影用モニタ
１７　操作パネル
１９　マイクロホン
３１　シール取り出し口
４１−１，４１−２　編集用モニタ
９１　制御装置
９６　シール紙ユニット
【図１】
2004062273.tif 000003
【図２】
2004062273.tif 000004
【図３】
2004062273.tif 000005
【図４】
2004062273.tif 000006
【図５】
2004062273.tif 000007
【図６】
2004062273.tif 000008
【図７】
2004062273.tif 000009
【図８】
2004062273.tif 000010
【図９】
2004062273.tif 000011
【図１０】
2004062273.tif 000012
【図１１】
2004062273.tif 000013
【図１２】
2004062273.tif 000014
【図１３】
2004062273.tif 000015
【図１４】
2004062273.tif 000016
【図１５】
2004062273.tif 000017
【図１６】
2004062273.tif 000018
【図１７】
2004062273.tif 000019
【図１８】
2004062273.tif 000020
【図１９】
2004062273.tif 000021